(57)【要約】【課題】全二重通信方式の装置と半二重通信方式の装置との伝送を確実に実現する。【解決手段】シリアル伝送方式変換装置１は、半二重通信装置３０から入力された半二重通信方式の半二重受信データを全二重通信方式の全二重送信データに変換する全二重送信回路１１と、全二重通信装置２０から入力された全二重通信方式の全二重受信データを半二重通信方式の半二重送信データに変換する全二重受信回路１２と、半二重送信データがアイドル状態の場合には半二重受信データの受信を指示し、半二重送信データがデータ有りの場合には半二重送信データの送信を指示する半二重送受選択信号を生成する半二重送受選択回路１３と、半二重送受選択信号に基づいて、半二重通信装置３０に対して、半二重受信データの受信と半二重送信データの送信とを切り替える半二重トランシーバ１４と、を備える。【選択図】図１
2018019360.tif 000002
【特許請求の範囲】
【請求項１】
全二重通信方式と半二重通信方式の変換を行うシリアル伝送方式変換装置であって、
半二重通信装置から入力された半二重通信方式の半二重受信データを全二重通信方式の全二重送信データに変換する全二重送信回路と、
全二重通信装置から入力された全二重通信方式の全二重受信データを半二重通信方式の半二重送信データに変換する全二重受信回路と、
前記半二重送信データがアイドル状態の場合には前記半二重受信データの受信を指示し、前記半二重送信データが非アイドル状態の場合には前記半二重送信データの送信を指示する半二重送受選択信号を生成する半二重送受選択回路と、
前記半二重送受選択信号に基づいて、前記半二重通信装置に対して、前記半二重受信データの受信と前記半二重送信データの送信とを切り替える半二重トランシーバと、
を備えることを特徴とするシリアル伝送方式変換装置。
【請求項２】
前記全二重送信データが非アイドル状態の場合には、前記全二重通信装置に対して前記全二重受信データを出力しないように指示する全二重受信制御部を更に備えることを特徴とする、請求項１に記載のシリアル伝送方式変換装置。
【発明の詳細な説明】
【技術分野】
【０００１】
本発明は、異なるシリアル伝送方式の通信装置間において、伝送方式を変換するシリアル伝送方式変換装置に関する。
【背景技術】
【０００２】
従来、装置間の通信に幅広くシリアル伝送が行われている。例えば、鉄道車両においては、主制御装置及び補助電源装置は、他の車両制御装置（例えば列車情報システム等）に対して、装置の運転状態や故障記録等の情報を送信する目的で、シリアル伝送を行うことがある。
【０００３】
ところが、装置間で伝送方式が異なっていて変更できない場合には、情報を伝送することができないという問題がある。そのため、送信ドライバーＩＣと２つの受信レシーバＩＣとを備え、半二重通信方式と全二重通信方式とを切り替えることが可能なシリアル通信回路が知られている（例えば、特許文献１参照）。
【先行技術文献】
【特許文献】
【０００４】
【特許文献１】特開平９−１５３８８６号公報
【発明の概要】
【発明が解決しようとする課題】
【０００５】
しかし、特許文献１に記載のシリアル通信回路は、半二重通信方式選択時に、送信イネーブル信号をアクティブにして送信ドライバーＩＣから送信データを出力するが、この送信データは受信レシーバＩＣにも供給されるため、受信レシーバＩＣは該データを受信データとして認識しないようにするための仕組みが必要となる。
【０００６】
かかる事情に鑑みてなされた本発明の目的は、全二重通信方式の装置と半二重通信方式の装置との伝送を実現することが可能なシリアル伝送方式変換装置を提供することにある。
【課題を解決するための手段】
【０００７】
上記課題を解決するため、本発明に係るシリアル伝送方式変換装置は、全二重通信方式と半二重通信方式の変換を行うシリアル伝送方式変換装置であって、半二重通信装置から入力された半二重通信方式の半二重受信データを全二重通信方式の全二重送信データに変換する全二重送信回路と、全二重通信装置から入力された全二重通信方式の全二重受信データを半二重通信方式の半二重送信データに変換する全二重受信回路と、前記半二重送信データがアイドル状態の場合には前記半二重受信データの受信を指示し、前記半二重送信データが非アイドル状態の場合には前記半二重送信データの送信を指示する半二重送受選択信号を生成する半二重送受選択回路と、前記半二重送受選択信号に基づいて、前記半二重通信装置に対して、前記半二重受信データの受信と前記半二重送信データの送信とを切り替える半二重トランシーバと、を備えることを特徴とする。
【０００８】
さらに、本発明に係るシリアル伝送方式変換装置において、前記全二重送信データが非アイドル状態の場合には、前記全二重通信装置に対して前記全二重受信データを出力しないように指示する全二重受信制御部を更に備えることを特徴とする。
【図面の簡単な説明】
【０００９】
【図１】本発明の第１の実施形態に係るシリアル伝送方式変換装置の構成例を示すブロック図である。
【図２】本発明の第２の実施形態に係るシリアル伝送方式変換装置の構成例を示すブロック図である。
【発明を実施するための形態】
【００１０】
以下、本発明の実施の形態について、詳細に説明する。
【００１１】
（第１の実施形態）
図１は、本発明の第１の実施形態に係るシリアル伝送方式変換装置の構成例を示すブロック図である。シリアル伝送方式変換装置１は、全二重通信方式により通信を行う全二重通信装置２０と、半二重通信方式により通信を行う半二重通信装置３０との間に配置され、全二重通信方式と半二重通信方式の変換を行う。図１に示すシリアル伝送方式変換装置１は、全二重送信回路１１と、全二重受信回路１２と、半二重送受選択回路１３と、半二重トランシーバ１４とを備える。
【００１２】
全二重通信装置２０は、全二重通信方式によりデータ通信を行う装置であり、全二重送信回路１１から全二重送信データを入力するとともに、全二重受信データを全二重受信回路１２に出力する。
【００１３】
半二重通信装置３０は、半二重通信方式によりデータ通信を行う装置であり、半二重トランシーバ１４から半二重送信データを入力するとともに、半二重受信データを半二重トランシーバ１４に出力する。
【００１４】
全二重送信回路１１は、半二重トランシーバ１４から半二重通信方式の半二重受信データを受信し、全二重通信方式の全二重送信データに変換して、全二重通信装置２０に出力する。
【００１５】
全二重受信回路１２は、全二重通信装置２０から全二重通信方式の全二重受信データを受信し、半二重通信方式の半二重送信データに変換して、半二重トランシーバ１４及び半二重送受選択回路１３に出力する。
【００１６】
半二重送受選択回路１３は、全二重受信回路１２から入力される半二重送信データを監視する。そして、半二重送受選択回路１３は、半二重送信データがアイドル状態（データ無し）の場合には半二重受信データの受信を指示し、半二重送信データが非アイドル状態（データ有り）の場合には半二重送信データの送信を指示する半二重送受選択信号を生成し、半二重トランシーバ１４に出力する。例えば、半二重送受選択信号はデフォルトではハイであり、半二重送信データがアイドル状態から非アイドル状態に切り替わった場合に、半二重送受選択信号をロウとする。
【００１７】
半二重トランシーバ１４は、半二重送受選択回路１３から入力された半二重送受選択信号に基づいて、半二重通信装置３０に対して、半二重受信データの受信と半二重送信データの送信とを切り替える。
【００１８】
通常状態では半二重送受選択信号は半二重受信データの受信を指示するため、半二重トランシーバ１４は、半二重通信装置３０から入力されたデータを半二重受信データとして取り込み、そのまま全二重送信回路１１へ出力する。全二重送信回路１１は半二重受信データを全二重送信データに変換して出力する。このようにして、半二重通信装置３０から送信されたデータは全二重通信装置２０へ伝送される。
【００１９】
一方、半二重送受選択信号が半二重送信データの送信を指示すると、半二重トランシーバ１４は、全二重受信回路１２から入力された半二重送信データを半二重通信装置３０へ出力する。このようにして、全二重通信装置２０から送信されたデータは半二重通信装置３０へ伝送される。
【００２０】
上述したように、シリアル伝送方式変換装置１は、半二重送受選択回路１３により半二重送信データがアイドル状態の場合には半二重受信データの受信を指示し、半二重送信データが非アイドル状態の場合には半二重送信データの送信を指示する半二重送受選択信号を生成し、半二重トランシーバ１４により、半二重送受選択信号に基づいて、半二重受信データの受信と半二重送信データの送信とを切り替える。かかる構成により、全二重通信方式の装置と半二重通信方式の装置との伝送を実現することが可能となる。
【００２１】
（第２の実施形態）
つぎに、本発明の第２の実施形態に係るシリアル伝送方式変換装置について説明する。図２は、第２の実施形態に係るシリアル伝送方式変換装置の構成例を示すブロック図である。図２に示すシリアル伝送方式変換装置２は、全二重送信回路１１と、全二重受信回路１２と、半二重送受選択回路１３と、半二重トランシーバ１４と、全二重受信制御部１５とを備える。第２の実施形態のシリアル伝送方式変換装置２は第１の実施形態のシリアル伝送方式変換装置１と比較して、全二重受信制御部１５を更に備える点が相違する。その他の構成については第１の実施形態と同様であるため、適宜説明を省略する。
【００２２】
全二重送信回路１１は、半二重トランシーバ１４から半二重通信方式の半二重受信データを受信し、全二重通信方式の全二重送信データに変換して、全二重通信装置２０及び全二重受信制御部１５に出力する。
【００２３】
全二重受信制御部１５は、全二重送信回路１１から入力される全二重送信データを監視する。そして、全二重送信データが非アイドル状態（データ有り）である場合には、全二重通信装置２０に対して全二重受信データを出力しないように指示する出力停止命令信号を出力する。
【００２４】
全二重通信装置２０は、全二重受信制御部１５から入力された出力停止命令信号に基づき、全二重受信データを出力するか否かを決定する。すなわち、出力停止命令信号がアクティブである場合には全二重受信データを出力しない。
【００２５】
上述したように、シリアル伝送方式変換装置２は、全二重受信制御部１５により、シリアル伝送方式変換装置２が全二重送信データを出力している間は、全二重通信装置２０から全二重受信データを入力しないように制御する。かかる構成により、半二重トランシーバ１４は半二重受信データを取り込んでいる最中に、半二重送信データを受け取ったために半二重受信データの受信から半二重送信データに切り替えるということが無くなり、半二重受信データの取りこぼしを防止することが可能となる。
【００２６】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態の構成図に記載の複数の構成ブロックを１つに組み合わせたり、あるいは１つの構成ブロックを分割したりすることが可能である。
【産業上の利用可能性】
【００２７】
本発明の適用は鉄道車両に限定されるものではなく、シリアル伝送方式を変換する任意の用途に有用である。
【符号の説明】
【００２８】
１，２  シリアル伝送方式変換装置
１１    全二重送信回路
１２    全二重受信回路
１３    半二重送受選択回路
１４    半二重トランシーバ
１５    全二重受信制御部
２０    全二重通信装置
３０    半二重通信装置
【図１】
2018019360.tif 000003
【図２】
2018019360.tif 000004